(57)【特許請求の範囲】
【請求項１】
内部に互いに連通するモータ室及びポンプ室が区画されたハウジングと、該ハウジングに軸受装置を介して回転可能に軸支された駆動軸と、ロータを有して該モータ室に収容され、該駆動軸を回転駆動するモータ機構と、該ポンプ室に収容され、該駆動軸の回転駆動によって流体のポンプ作用を行うポンプ機構とを備え、
該ロータは該駆動軸にロックナットによって固定され、該ハウジングには、該軸受装置を収容して該駆動軸の一端面が位置する端部室が形成されている電動ポンプにおいて、
前記端部室と前記モータ室とは連通路によって連通し、該連通路の該モータ室側の入口は、前記ロックナットの回転によって該モータ室内の前記流体が圧力上昇を生じる範囲内で開口していることを特徴とする電動ポンプ。
【請求項２】
前記連通路の前記入口は、前記ロックナットと対面している請求項１記載の電動ポンプ。
【請求項３】
前記ロックナットには、前記モータ室内の前記流体を前記駆動軸の軸芯から遠ざけるように案内する案内溝が形成されている請求項１又は２記載の電動ポンプ。
【請求項４】
前記連通路は、前記入口が前記駆動軸の軸芯を中心とする円周上であって、該駆動軸の回転方向の上流側に位置し、前記端部室側の出口が該円周上であって、該駆動軸の回転方向の下流側に位置している請求項１乃至３のいずれか１記載の電動ポンプ。
【請求項５】
前記駆動軸は前記モータ室及び前記ポンプ室を跨いで延在し、
前記ポンプ機構は、該ポンプ室内に配設され、該駆動軸と一体回転可能な駆動ギヤと、該ポンプ室を跨いで延在する従動軸と、該ポンプ室内に配設され、該従動軸と一体回転可能な従動ギヤと、該ポンプ室と連通する吸入ポート及び吐出ポートとからなるギヤポンプ機構である請求項１乃至４のいずれか１項記載の電動ポンプ。
【請求項６】
前記流体がジメチルエーテルである請求項１乃至５のいずれか１項記載の電動ポンプ。
【請求項７】
前記軸受装置が転がり軸受である請求項１乃至６のいずれか１項記載の電動ポンプ。
【発明の詳細な説明】
【技術分野】
【０００１】
本発明は電動ポンプに関する。
【背景技術】
【０００２】
特許文献１に従来の電動ポンプが開示されている。この電動ポンプは、内部に互いに連通するモータ室及びポンプ室が区画されたハウジングと、ハウジングに軸受装置を介して回転可能に軸支された駆動軸と、ロータを有してモータ室に収容され、駆動軸を回転駆動するモータ機構と、ポンプ室に収容され、駆動軸の回転駆動によって流体のポンプ作用を行うポンプ機構とを備える。
【０００３】
ロータは、駆動軸にロックナットによって固定され、ハウジングには、ロックナット側に位置し、軸受装置を収容して駆動軸の一端面が位置する端部室が形成されている。軸受装置には、転がり軸受が用いられている。電動ポンプが扱う流体には、ジメチルエーテル等の潤滑性の乏しいものも含まれる。
【０００４】
このような構成である従来の電動ポンプは、モータ機構が駆動軸を回転駆動することにより、ポンプ機構が流体のポンプ作用を行う。これにより、流体は、ポンプ室の内部に吸入され、ポンプ室の外部に加圧されつつ吐出される。この際、モータ室及びポンプ室がハウジングの内部で互いに連通していることから、ポンプ室の内部を流通する流体の一部がモータ室内に流入し、モータ室内の流体と置換される。このため、この電動ポンプは、潤滑性を有する流体や潤滑成分が添加された流体を使用している場合には、モータ機構やポンプ機構の潤滑を実施することが可能である。
【０００５】
【特許文献１】特開２００５−２５６７３３号公報
【発明の開示】
【発明が解決しようとする課題】
【０００６】
しかし、上記従来の電動ポンプにおいて、軸受装置を収容して駆動軸の一端面が位置する端部室は、モータ室と区画された閉塞空間となっていることから、モータ室と端部室との間での流体の置換が充分に行われ難い。このため、端部室に摩耗粉や潤滑成分の沈殿物等が滞留する不具合が生じる場合がある。このため、この電動ポンプを長時間運転すると、駆動軸と軸受装置との間に摩耗粉や潤滑成分の沈殿物等が付着し、駆動軸の回転不良を生じるおそれがある。
【０００７】
特に、扱う流体が潤滑性の乏しいジメチルエーテル（ＤＭＥ）等である場合には、このような不具合が生じ易い。また、軸受装置として転がり軸受を用いる場合には、転がり軸受の転動体に摩耗粉や潤滑成分の沈殿物等が付着して転動体の回転が著しく妨げられることとなり、不具合が一層生じ易い。
【０００８】
この点、例えば、特開２００２−２０２０５８号公報の電動式圧縮機に開示されているように、端部室とモータ室とを連通路によって連通することが考えられる。こうした電動ポンプでは、端部室がモータ室と連通することとなり、モータ室と端部室との間での流体の置換が行われると考えられるため、駆動軸の回転不良を生じ難いと考えられる。
【０００９】
しかしながら、こうした電動ポンプは、連通路が駆動軸の軸芯に略垂直な方向を向くように形成されているに過ぎないものであるため、モータ室と端部室との間での流体の置換を充分に行うことができず、端部室に摩耗粉や潤滑成分の沈殿物等が滞留しないようにすることが困難であった。
【００１０】
本発明は、上記従来の実情に鑑みてなされたものであって、長時間の運転によっても回転不良を生じ難い電動ポンプを提供することを解決すべき課題としている。
【課題を解決するための手段】
【００１１】
本発明の電動ポンプは、内部に互いに連通するモータ室及びポンプ室が区画されたハウジングと、該ハウジングに軸受装置を介して回転可能に軸支された駆動軸と、ロータを有して該モータ室に収容され、該駆動軸を回転駆動するモータ機構と、該ポンプ室に収容され、該駆動軸の回転駆動によって流体のポンプ作用を行うポンプ機構とを備え、
該ロータは該駆動軸にロックナットによって固定され、該ハウジングには、該軸受装置を収容して該駆動軸の一端面が位置する端部室が形成されている電動ポンプにおいて、
前記端部室と前記モータ室とは連通路によって連通し、該連通路の該モータ室側の入口は、前記ロックナットの回転によって該モータ室内の前記流体が圧力上昇を生じる範囲内で開口していることを特徴とする。
【００１２】
このような構成である本発明の電動ポンプは、モータ機構が駆動軸を回転駆動することにより、ポンプ機構が流体のポンプ作用を行う。これにより、流体は、ポンプ室の内部に吸入され、ポンプ室の外部に加圧されつつ吐出される。この際、モータ室及びポンプ室がハウジングの内部で互いに連通していることから、ポンプ室の内部を流通する流体の一部がモータ室内に流入し、モータ室内の流体と置換される。このため、この電動ポンプは、潤滑性を有する流体や潤滑成分が添加された流体を使用している場合には、モータ機構やポンプ機構の潤滑を実施することが可能である。
【００１３】
また、この電動ポンプにおいて、端部室とモータ室とは連通路によって連通しており、閉塞空間とはなっていない。また、連通路のモータ室側の入口は、ロックナットの回転によってモータ室内の流体が圧力上昇を生じる範囲内で開口している。このため、連通路のモータ室側の入口は、連通路の端部室側の出口に比べ、流体の圧力が高くなる傾向にある。このため、連通路の入口と出口との間の圧力勾配により、モータ室内の流体が連通路のモータ室側の入口から連通路の端部室側の出口を介して、端部室内に流入することとなる。これは上述の特開２００２−２０２０５８号公報の電動式圧縮機の連通路が有していない作用効果である。このため、この電動ポンプでは、モータ室から連通路を介して端部室に流体が流入することにより、モータ室と端部室との間での流体の置換が充分に行われる。このため、端部室に摩耗粉や潤滑成分の沈殿物等が滞留する不具合が生じ難い。このため、この電動ポンプを長時間運転しても、駆動軸と軸受装置との間に摩耗粉や潤滑成分の沈殿物等が付着し難く、駆動軸の回転不良を生じ難い。
【００１４】
したがって、本発明の電動ポンプは、長時間の運転によっても回転不良を生じ難い。
【００１５】
ロックナットの回転によってモータ室内の流体が圧力上昇を生じるという現象は、「科学技術文献：ＡＳＭＥ，Ｓｅｒ，Ｄ，８２−１（１９６０），２１７，著者：Ｄａｉｌｙ，Ｊ．Ｗ，ａｎｄ  Ｎｅｃｅ，Ｒ．Ｅ．，Ｔｒａｎｓ」に示される容器内の回転円盤周りの流れにより圧力勾配が生じる現象と同様のものと考えられる。そして、連通路の入口が設けられる位置は、モータ室、ロータ及びロックナットの形状や位置関係に応じ、最適化されることが好ましい。
【００１６】
本発明の電動ポンプにおいて、前記連通路の前記入口は、前記ロックナットと対面していることが好ましい。これは、上述の回転円盤周りの流れにより圧力勾配が生じる現象において、回転円盤が容器の内壁面に対して小さな隙間を有して回転する場合に、圧力が上昇し易い領域だからである。なお、「連通路の入口がロックナットと対面している」とは、具体的には、連通路の入口がロックナットと対向している場合だけでなく、連通路の入口がロックナットの外周縁から離れた位置にあって、かつ、ロックナット側に向けて開口している場合も含む。
【００１７】
本発明の電動ポンプにおいて、前記ロックナットには、前記モータ室内の前記流体を前記駆動軸の軸芯から遠ざけるように案内する案内溝が形成されていることが好ましい。
【００１８】
この場合、ロックナットとともに案内溝が回転することにより、流体が駆動軸の軸芯から遠ざけられて、連通路の入口で流体の圧力が一層上昇することとなる。このため、流体は、モータ室から連通路を介して端部室により効果的に流入することとなる。このため、この電動ポンプは、本発明の作用効果を確実に奏することができる。
【００１９】
本発明の電動ポンプにおいて、前記連通路は、前記入口が前記駆動軸の軸芯を中心とする円周上であって、該駆動軸の回転方向の上流側に位置し、前記端部室側の出口が該円周上であって、該駆動軸の回転方向の下流側に位置し得る。この場合、連通路は、駆動軸の回転に伴い、回転方向の上流から下流に沿って流れようとする流体を端部室にスムーズに流入させることができる。なお、連通路は、少なくとも１本が設けられていればよく、例えば、複数本の連通路が駆動軸の軸芯を中心とする円周上に、等間隔に配置されていてもよい。
【００２０】
本発明の電動ポンプは、ポンプ機構がギヤポンプ機構、スクロール式ポンプ機構、斜板ピストン式ポンプ機構等の一般的なものであり得る。発明者らはポンプ機構がギヤポンプ機構である場合に本発明の効果を確認している。この場合、本発明の電動ポンプは、前記駆動軸は前記モータ室及び前記ポンプ室を跨いで延在し、前記ポンプ機構は、該ポンプ室内に配設され、該駆動軸と一体回転可能な駆動ギヤと、該ポンプ室を跨いで延在する従動軸と、該ポンプ室内に配設され、該従動軸と一体回転可能な従動ギヤと、該ポンプ室と連通する吸入ポート及び吐出ポートとからなるギヤポンプ機構である。
【００２１】
本発明の電動ポンプにおいて、前記流体がジメチルエーテル（ＤＭＥ）であり得る。この電動ポンプは、扱う流体が潤滑性の乏しいジメチルエーテルであっても、上述の作用効果により、端部室に摩耗粉や潤滑成分の沈殿物等が滞留する不具合が生じ難いので、本発明の効果を顕著に享受することができる。
【００２２】
本発明の電動ポンプにおいて、前記軸受装置が転がり軸受であり得る。この電動ポンプは、軸受装置として転がり軸受を用いる場合であっても、転がり軸受の転動体に摩耗粉や潤滑成分の沈殿物等が付着して転動体の回転が著しく妨げられることを抑制することができるので、本発明の効果を顕著に享受することができる。
【発明を実施するための最良の形態】
【００２３】
以下、本発明を具体化した実施例１、２を図面を参照しつつ説明する。なお、図１において、右側が前方であり、左側が後方である。
【実施例１】
【００２４】
図１に示すように、実施例１の電動ポンプ１は、ギヤポンプ式のものであり、例えば、燃料タンクに装着されて、燃料としてのジメチルエーテル（ＤＭＥ）を動力機関に高圧供給するものである。この電動ポンプ１は、ハウジング１０と、駆動軸２０と、モータ機構３０と、ポンプ機構４０とを備える。
【００２５】
ハウジング１０は、前端側から後端側に向けて順に、第１ポンプハウジング１１と、第２ポンプハウジング１２と、モータハウジング１３と、端部室ハウジング１４とで構成されている。第１ポンプハウジング１１と、第２ポンプハウジング１２と、モータハウジング１３とは、複数本の通しボルト９０によって、相互に固定されている。また、モータハウジング１３と端部室ハウジング１４とは、複数本の通しボルト９１によって、相互に固定されている。
【００２６】
第１ポンプハウジング１１は、前端面側に外フランジが形成された厚肉円盤状のものであり、後端面の中央には、後述する駆動軸２０の前端を回転可能に支承するニードル軸受６１が装着される軸孔１１ａが凹設されている。
【００２７】
第２ポンプハウジング１２は、厚肉円盤状のものであり、その中央には、駆動軸２０が挿通される開口１２ａが貫設されている。
【００２８】
第１ポンプハウジング１１と第２ポンプハウジング１２との接合部分の内部には、後述するポンプ機構４０が収容されるポンプ室１０ａが区画形成されている。また、第１ポンプハウジング１１と第２ポンプハウジング１２とには、第１ポンプハウジング１１の前端面の外周側から第２ポンプハウジング１２の後端面の外周側まで貫設される１本の端子穴１１ｂ、１２ｂが形成されている。この端子穴１１ｂ、１２ｂの前端側には、後述するステータ３２の巻線に給電するためのハーメチック端子９２が装着されている。
【００２９】
モータハウジング１３は、前端側に外フランジが形成された円筒部１３ａと、その後端側に位置する内フランジ部１３ｂとからなる。内フランジ部１３ｂの後端面の中央には、後述する駆動軸２０を回転可能に支承するボール軸受６０が装着されるボール軸受用凹部１３ｃが形成されている。
【００３０】
モータハウジング１３の円筒部１３ａの内筒面及び内フランジ部１３ｂの前端面並びに第２ポンプハウジング１２の後端面とで囲まれた領域には、モータ室１０ｂが区画されている。
【００３１】
駆動軸２０は、モータ室１０ｂ及びポンプ室１０ａを跨いで延在し、ハウジング１０に回転可能に支承されている。具体的には、駆動軸２０の前端が第１ポンプハウジング１１の軸孔１１ａに、ニードル軸受６１を介して回転可能に支承され、駆動軸２０の後端がモータハウジング１３の内フランジ部１３ｂのボール軸受用凹部１３ｃに、軸受装置としてのボール軸受６０を介して回転可能に支承されている。
【００３２】
モータ機構３０は、モータ室１０ｂに収容されたロータ３１とステータ３２とを有する。ロータ３１は、中央に駆動軸２０を挿通した状態で、菊座金３４を介してロックナット３３により駆動軸２０に固定される円筒状の鉄心である。ロックナット３３は、中央に駆動軸２０と螺合する雌ねじが形成された円環状のものであり、外周側に複数の係止用凹部（図示しない）が形成されている。ロックナット３３の内径は、約１０ｍｍであり、外径は、約３２ｍｍである。ロックナット３３の後端面とモータハウジング１３の内フランジ部１３ｂの前端面との間隔ｄは、回転円盤周りの流れにより圧力勾配を生じ易くするため、理論式に基づき、約２ｍｍに設定されている。
【００３３】
ステータ３２は、巻線を有するとともに、モータハウジング１３の円筒部１３ａの内筒面に固定されており、端子穴１１ｂ、１２ｂの前端側に装着されたハーメチック端子９２から巻線に給電コード（図示しない）が接続されている。このモータ機構３０は、ハーメチック端子９２からステータ３２の巻線に電流が流れると、巻線とロータ３１の鉄心との間の電磁誘導作動によって、ロータ３１に回転力が作用し、駆動軸２０を回転駆動することが可能となっている。
【００３４】
ポンプ機構４０は、ポンプ室１０ａ内に配設され、駆動軸２０と一体回転可能な駆動ギヤ４１と、ポンプ室１０ａを跨いで前後方向に延在する従動軸４３と、ポンプ室１０ａ内に配設され、従動軸４３と一体回転可能な従動ギヤ４２と、ポンプ室１０ａと連通する吸入ポート（図示しない）及び吐出ポート４４とからなるギヤポンプ機構である。駆動ギヤ４１は、駆動軸２０の前端側にキー２１を介して一体回転可能に固定されている。従動ギヤ４２は、従動軸４３と一体加工されたものであり、駆動ギヤ４１と噛合している。従動軸４３は、第１ポンプハウジング１１の軸孔１１ｃ及び第２ポンプハウジング１２の軸孔１２ｃに、ニードル軸受６２、６３を介して、回転可能に支承されている。このポンプ機構４０は、駆動軸２０の回転駆動によって、駆動ギヤ４１と従動ギヤ４２とが回転し、吸入ポート（図示しない）から吐出ポート４４へと流体を高圧で吐出する。こうして、このポンプ機構４０は、流体のポンプ作用を行うことが可能となっている。
【００３５】
モータ室１０ｂ及びポンプ室１０ａは、第２ポンプハウジング１２と、駆動ギヤ４１、従動ギヤ４２及び従動軸４３の隙間等を介して、内部に互いに連通している。
【００３６】
端部室ハウジング１４は、円盤状のものであり、その前端面には、凹部１４ａが形成されている。モータハウジング１３のボール軸受用凹部１３ｃと、端部室ハウジング１４の凹部１４ａとで囲まれた領域には、端部室１０ｃが区画形成されている。また、端部室１０ｃには、ボール軸受６０が収容され、駆動軸２０の支持と軸方向位置決めをしている。
【００３７】
モータハウジング１３の内フランジ部１３ｂには、端部室１０ｃとモータ室１０ｂとを連通する連通路５０が形成されている。連通路５０のモータ室１０ｂ側の入口５０ａは、ロックナット３３の後端面と対面している。より詳しくは、連通路５０のモータ室１０ｂ側の入口５０ａは、ロックナット３３の外周縁から約４ｍｍ離れた位置にあって、かつ、ロックナット３３側に向けて開口している。他方、連通路５０の端部室１０ｃ側の出口５０ｂは、ボール軸受用凹部１３ｃの側壁の後端側に開口している。また、連通路５０の入口５０ａは、図２に示すように、駆動軸２０の軸芯Ｏを中心とする円周上であって、駆動軸２０の回転方向Ｒの上流側に位置し、連通路５０の出口５０ｂは、駆動軸２０の軸芯Ｏを中心とする円周上であって、駆動軸２０の回転方向Ｒの下流側に位置しており、駆動軸２０の軸芯Ｏに対して捩れて配設されている。このような位置に設けられた連通路５０の入口５０ａの近傍では、ロックナット３３の回転により駆動軸２０の軸芯Ｏから遠ざかる方向に流れようとする流体により、圧力上昇を生じ易くなっている。また、駆動軸２０の軸芯Ｏに対して捩れて配設される連通路５０は、ロックナット３３の回転に伴い、回転方向Ｒの上流から下流に沿って流れようとする流体を端部室１０ｃにスムーズに流入させることが可能となっている。なお、連通路５０が駆動軸２０の軸芯Ｏに対して捩れて配設される構成は必須ではない。連通路５０が駆動軸２０の軸芯Ｏに対して捩れておらず、軸芯Ｏに沿うようにして配設される構成であっても、当然に本発明の作用効果を奏することができる。
【００３８】
このような構成である実施例１の電動ポンプ１は、モータ機構３０が駆動軸２０を回転駆動することにより、ポンプ機構４０が流体のポンプ作用を行う。これにより、流体は、吸入ポート（図示しない）からポンプ室１０ａの内部に吸入され、ポンプ室１０ａから吐出ポート４４を介して外部に加圧されつつ吐出される。この際、モータ室１０ｂ及びポンプ室１０ａがハウジング１０の内部で互いに連通していることから、ポンプ室１０ａの内部を流通する流体の一部がモータ室１０ｂ内に流入し、モータ室１０ｂ内の流体と置換される。このため、この電動ポンプ１は、潤滑性を有する流体や潤滑成分が添加された流体を使用している場合には、モータ機構３０やポンプ機構４０の潤滑を実施することが可能となっている。
【００３９】
また、この電動ポンプ１において、端部室１０ｃとモータ室１０ｂとは、連通路５０によって連通しており、閉塞空間とはなっていない。また、連通路５０のモータ室１０ｂ側の入口５０ａは、ロックナット３３の回転によってモータ室１０ｂ内の流体が圧力上昇を生じる範囲内で開口している。このため、連通路５０のモータ室１０ｂ側の入口５０ａは、連通路５０の端部室１０ｃ側の出口５０ｂに比べ、流体の圧力が高くなる傾向にある。このため、連通路５０の入口５０ａと出口５０ｂとの間の圧力勾配により、モータ室１０ｂ内の流体が連通路５０の入口５０ａから連通路５０に流入し、出口５０ｂから端部室１０ｃ内に流入することとなっている。このため、この電動ポンプ１では、モータ室１０ｂと端部室１０ｃとの間での流体の置換が充分に行われ、端部室１０ｃに摩耗粉や潤滑成分の沈殿物等が滞留する不具合が生じ難くなっている。このため、この電動ポンプ１を長時間運転しても、駆動軸２０とボール軸受６０との間やボール軸受６０の転動体に摩耗粉や潤滑成分の沈殿物等が付着し難くなっており、駆動軸２０の回転不良を生じ難い。
【００４０】
実施例１の電動ポンプ１について、下記の通り、運転試験を実施した。流体としては、潤滑性の乏しいジメチルエーテルに少量の潤滑成分を添加したものを使用しており、比較的厳しい試験条件である。
【００４１】
まず、比較例として、連通路５０を塞いだ状態で実施例１の電動ポンプ１を連続運転したところ、約１７００時間が経過した時点で、駆動軸２０とボール軸受６０との間やボール軸受６０の転動体に摩耗粉や潤滑成分の沈殿物等が付着し、駆動軸２０の回転不良が生じた。
【００４２】
これに対して、連通路５０を塞がない状態で実施例１の電動ポンプ１を連続運転したところ、駆動軸２０の回転不良は、４０００時間が経過した時点でも発生していない。このことから、実施例１の電動ポンプ１は、駆動軸２０とボール軸受６０との間やボール軸受６０の転動体に摩耗粉や潤滑成分の沈殿物等が付着し難く、駆動軸２０の回転不良を生じ難いことが判る。
【００４３】
また、実施例１の電動ポンプ１の運転時において、連通路５０の入口５０ａ近傍における圧力Ｐ１と、連通路５０の出口５０ｂ近傍における圧力Ｐ２との差圧を測定した。その結果のグラフを図３に示す。
【００４４】
その結果、曲線Ａに示すように、駆動軸２０の回転数が増加するについて、Ｐ１とＰ２との差圧も２次曲線的に増加した。これは、上述の「容器内の回転円盤周りの流れにより圧力勾配が生じる現象」の理論式から求めた机上検討値を示す曲線Ｂとよく似た傾向を示している。机上検討値より測定値が低いのは、理論式では、円筒容器内に平滑かつ円筒容器の内径に近い外径を有する円盤が収容される場合を想定しているが、実施例１の電動ポンプ１では、ロックナット３３、ロータ３１、ステータ３２等の形状が複雑であり、ロックナット３３の外周側に大きな空間があることから、ロックナット３３の回転により駆動軸２０の軸芯Ｏから遠ざかる方向に流れようとする流体の一部が周囲に分散してしまうためと考えられる。
【００４５】
したがって、実施例１の電動ポンプ１は、長時間の運転によっても回転不良を生じ難い。
【００４６】
また、この電動ポンプ１において、連通路５０の入口５０ａは、ロックナット３３と対面している。このため、入口５０ａは、回転円盤周りの流れにより圧力勾配が生じる現象により圧力が上昇し易い領域に配置されており、本発明の作用効果を確実に奏することができている。
【００４７】
また、この電動ポンプ１は、扱う流体が潤滑性の乏しいジメチルエーテルであっても、上述の通り、端部室１０ｃに摩耗粉や潤滑成分の沈殿物等が滞留する不具合が生じ難いので、本発明の効果を顕著に享受することができている。
【００４８】
さらに、この電動ポンプ１は、軸受装置としてボール軸受６０を用いているが、上述の通り、ボール軸受６０の転動体に摩耗粉や潤滑成分の沈殿物等が付着して転動体の回転が著しく妨げられることを抑制することができているので、本発明の効果を顕著に享受することができている。
【実施例２】
【００４９】
変形例２の電動ポンプは、実施例１の電動ポンプ１におけるロックナット３３の後端面に、図４に示すように、多数の案内溝３３ａが形成されたものである。その他の構成は実施例１の電動ポンプ１と同様であるので、説明は省く。
【００５０】
案内溝３３ａは、円環状のロックナット３３の内周縁側から外周縁側に向けて、半径方向に対して角度を有して凹設されており、モータ室１０ｂ内の流体を駆動軸２０の軸芯Ｏから遠ざけるように案内する形状とされている。
【００５１】
この電動ポンプでは、ロックナット３３とともに案内溝３３ａが回転することにより、流体が駆動軸２０の軸芯Ｏから遠ざけられて、連通路５０の入口５０ａ近傍で流体の圧力が一層上昇する。このため、流体は、モータ室１０ｂから連通路５０を介して端部室１０ｃにより効果的に流入する。このため、実施例２の電動ポンプは、本発明の作用効果を一層確実に奏することができている。
【００５２】
以上において、本発明を実施例１、２に即して説明したが、本発明は上記実施例１、２に制限されるものではなく、その趣旨を逸脱しない範囲で適宜変更して適用できることはいうまでもない。
【産業上の利用可能性】
【００５３】
本発明は電動ポンプに利用可能である。
【図面の簡単な説明】
【００５４】
【図１】実施例１の電動ポンプの縦断面図である。
【図２】実施例１の電動ポンプに係り、駆動軸の軸芯と連通路の入口及び出口との位置関係を示す模式図である。
【図３】実施例１の電動ポンプに係り、運転試験の結果を示すグラフである。
【図４】実施例２の電動ポンプに係り、ロックナットの後端面を示す正面図である。
【符号の説明】
【００５５】
１…電動ポンプ
１０…ハウジング
１０ａ…ポンプ室
１０ｂ…モータ室
１０ｃ…端部室
２０…駆動軸
３１…ロータ
３０…モータ機構
３３…ロックナット
３３ａ…案内溝
４０…ポンプ機構
４１…駆動ギヤ
４３…従動軸
４２…従動ギヤ
４４…吐出ポート
５０…連通路
５０ａ…連通路のモータ室側の入口
５０ｂ…連通路のモータ室側の入口
６０…軸受装置（ボール軸受）
Ｏ…駆動軸の軸芯
Ｒ…駆動軸の回転方向
【図１】
0004678324.tif 000002
【図２】
0004678324.tif 000003
【図３】
0004678324.tif 000004
【図４】
0004678324.tif 000005